(57)【要約】【課題】電波ノイズがレンズ駆動装置の外部に漏洩することを抑制するレンズ駆動装置及びこれを備えるカメラモジュールを提供する。【解決手段】略平板状の基部３１及びこの基部３１から延びる支柱部を有するベース３０と、このベース３０に取り付けられるケース４０と、支柱部に導電線を巻きつけることにより形成されるコイル６０と、ベース３０及びケース４０によって形成される内部空間に収納されるとともにレンズを保持するホルダ１０と、このホルダに固定された磁石２０とを備えるレンズ駆動装置において、ケース４０は、金属材料から構成され、ケース４０には、コイル６０より径方向の外方から外囲する側板４２が設けられる。【選択図】図８
2011028180.tif 000002
【特許請求の範囲】
【請求項１】
レンズを露出する開口部が設けられた基部及びこの基部から延びる支柱部を有するベースと、このベースに取り付けられるケースと、前記支柱部に導電線を巻きつけることにより形成されるコイルと、前記ベース及び前記ケースによって形成される内部空間に収納されるとともに前記レンズを保持するホルダと、このホルダに固定された磁石とを備え、前記ホルダが前記レンズの光軸に沿った方向である光軸方向に移動するレンズ駆動装置において、
前記ケースは、金属材料から構成され、
前記ケースには、前記コイルより前記レンズの径方向の外方から外囲する側板が設けられる
ことを特徴とするレンズ駆動装置。
【請求項２】
請求項１に記載のレンズ駆動装置において、
当該レンズ駆動装置には、前記コイルより前記径方向の外方に配置されるとともに、前記磁石と前記径方向に対向する磁性板を有し、
前記側板には、前記径方向の外方に凹む凹部が設けられ、
前記凹部には、前記磁性板を収納され、
前記側板は、前記レンズを前記径方向から取り囲む周方向において前記コイルの全周に亘り前記径方向の外方から外囲する
ことを特徴とするレンズ駆動装置。
【請求項３】
請求項２に記載のレンズ駆動装置において、
前記側板の前記径方向の外方の面は、面一に形成され、
前記凹部は、この凹部が設けられる前記側板の前記径方向の内方の面を前記側板の他の部分の前記径方向の内方の面よりも前記径方向の外方となる凹形状として設けられる
ことを特徴とするレンズ駆動装置。
【請求項４】
請求項１〜請求項３のいずれか一項に記載のレンズ駆動装置において、
前記ケースは、金属板をプレス加工することにより成形される
ことを特徴とするレンズ駆動装置。
【請求項５】
請求項１〜請求項４のいずれか一項に記載のレンズ駆動装置において、
前記基部は、平面視において略正方形に形成され、
前記側板における前記基部に取り付けられる端部は、前記光軸方向の平面視において略正方形の環状に形成され、
前記基部及び前記側板には、前記基部に対して前記側板の周方向における取り付け方向を決める位置決め部が設けられる
ことを特徴とするレンズ駆動装置。
【請求項６】
請求項１〜請求項５のいずれか一項に記載のレンズ駆動装置において、
前記ベースには、前記ケースが前記コイルよりも前記径方向の外方において当接することにより前記ケースと前記コイルとの接触を回避する接触回避部が設けられる
ことを特徴とするレンズ駆動装置。
【請求項７】
請求項１〜請求項６のいずれか一項に記載のレンズ駆動装置において、
前記側板の光軸方向における前記基部側である他端側の端部とこの端部と前記光軸方向に対向する前記基部の部位とは、互いに接着剤によって固定され、
前記側板の前記端部と前記基部の前記部位の少なくとも一方には、前記接着剤が溜まる接着剤溜り部が設けられる
ことを特徴とするレンズ駆動装置。
【請求項８】
請求項７に記載のレンズ駆動装置において、
前記側板の前記端部には、前記レンズの径方向の外方に向かい屈曲する屈曲部が設けられ、
前記屈曲部の径方向の内方の部位と前記基部の前記部位との間には、前記接着剤が溜まる接着剤溜り部が設けられる
ことを特徴とするレンズ駆動装置。
【請求項９】
請求項１〜請求項８のいずれか一項に記載のレンズ駆動装置において、
前記ケースには、前記レンズを開口する開口部を有するとともに、前記側板に連結する天板が設けられ、
前記側板と前記天板とは、単一部材として構成される
ことを特徴とするレンズ駆動装置。
【請求項１０】
請求項１〜請求項９のいずれか一項のレンズ駆動装置を備えることを特徴とするカメラモジュール。
【発明の詳細な説明】
【技術分野】
【０００１】
本発明は、基部を有するベースと、このベースに取り付けられるケースと、ベース及びケースによって形成される内部空間に収納されるとともにレンズを保持するホルダとを備えるレンズ駆動装置に関する。
【背景技術】
【０００２】
近年、携帯電話に搭載されるカメラは、高画素化が進み、オートフォーカスが必須の機能となっている。このカメラのオートフォーカスを行うためには、レンズをその光軸方向に移動するレンズ駆動装置が使用されている。一方、携帯電話の薄型化及び小型化に伴い、レンズ駆動装置に与えられるスペースを縮小する要求が高まっている。この要求に対応するため、レンズ駆動装置のレンズを駆動させる構造としては、例えば、特許文献１のようなボイスコイル型の構造が採用されている。このボイスコイル型の構造は、一般的なステッピングモータを用いた構造と比較して、構成を簡略化できるため、レンズ駆動装置の小型化を達成できることが知られている。
【０００３】
上記のボイスコイル型の構造では、レンズを保持するホルダ側にコイルを装着するとともに、ベース側に磁石を装着し、コイルに電流を印加することで生じる電磁駆動力によって、ホルダをレンズの光軸方向に移動している。また、ホルダをばね部材で支えるとともに、このばね部材をコイルへの給電用に共用し、ホルダから配線が引き出されないように構成されている（例えば、特許文献１参照）。
【０００４】
この構成によれば、コイルへ給電するための配線がホルダから引き出されないため、レンズの移動の際に、配線に不要な振動や張力が加わることにより配線が破損してしまう問題を抑制することができる。しかし、その反面、この構成では、ばね部材の構造が複雑であるため、レンズ駆動装置の製造時の歩留まりが低下しやすい問題が生じる。
【０００５】
このような問題を解消するための構成として、ホルダ側に磁石を装着し、ベース側にコイルを装着する構成が考えられる。この構成では、ホルダに配線を施す必要がないため、レンズの移動時における配線の破損を抑制するとともに、ばね部材を削除することによるレンズ駆動装置の構成の簡素化を図ることができる（例えば、特許文献２参照）。
【０００６】
図１４を参照して、従来のボイスコイル型のレンズ駆動装置の構成について説明する。
図１４に示すように、レンズ駆動装置１００には、ベース１１０が設けられている。このベース１１０には、側方カバー１３０が嵌合されている。この側方カバー１３０のベース１１０とは反対側には、上方カバー１２０が嵌合されている。これらベース１１０、側方カバー１３０及び上方カバー１２０によりレンズ駆動装置１００の外枠を構成している。そして、これらベース１１０、上方カバー１２０及び側方カバー１３０により形成される内部空間Ｓ内には、レンズＧを保持するホルダ１４０が収納されている。
【０００７】
ベース１１０及び上方カバー１２０のそれぞれには、導電線を巻回することにより形成されるコイル１５０，１５１が形成されている。これらコイル１５０，１５１のレンズＧの光軸方向の間には、磁石１６０が配置されている。この磁石１６０は、ホルダ１４０に固定されている。また、側方カバー１３０は、コイル１５０，１５１のレンズＧの径方向の外方に、コイル１５０，１５１を外囲するように配置されている。
【０００８】
これらコイル１５０，１５１の一方または両方を通電することにより、コイル１５０，１５１と磁石１６０との間に磁気回路が形成される。この磁気回路の作用により、ホルダ１４０及びレンズＧは光軸方向に移動するようになる。
【先行技術文献】
【特許文献】
【０００９】
【特許文献１】特開２００４−２８００３１号公報
【特許文献２】特開２００５−１４８５８６号公報
【発明の概要】
【発明が解決しようとする課題】
【００１０】
ところで、従来構造では、コイル１５０，１５１を径方向の外方から外囲する側方カバー１３０は樹脂材料により形成されている。この場合には、側方カバー１３０がコイル１５０，１５１のそれぞれに通電することに起因して発生する電波ノイズ（以下、「電波ノイズ」）を側方カバー１３０より径方向の外方への漏洩を抑制することが困難である。その結果、上記電波ノイズがレンズ駆動装置１００の外部に漏洩してしまう場合がある。
【００１１】
本発明は、上記実情に鑑みてなされたものであり、その目的とするところは、電波ノイズがレンズ駆動装置の外部に漏洩することを抑制するレンズ駆動装置及びこれを備えるカメラモジュールを提供することである。
【課題を解決するための手段】
【００１２】
上記目的を達成するために、請求項１に記載の発明は、レンズを露出する開口部が設けられた基部及びこの基部から延びる支柱部を有するベースと、このベースに取り付けられるケースと、前記支柱部に導電線を巻きつけることにより形成されるコイルと、前記ベース及び前記ケースによって形成される内部空間に収納されるとともに前記レンズを保持するホルダと、このホルダに固定された磁石とを備え、前記ホルダが前記レンズの光軸に沿った方向である光軸方向に移動するレンズ駆動装置において、前記ケースは金属材料から構成され、前記ケースには、前記コイルより前記レンズの径方向の外方から外囲する側板が設けられることを要旨とする。
【００１３】
この発明によれば、ケースがコイルよりレンズの径方向の外方から外囲するとともに金属材料から構成されるため、電波ノイズをこのレンズ駆動装置より外部に漏洩することを抑制することができるようになる。
【００１４】
請求項２に記載の発明は、請求項１に記載のレンズ駆動装置において、当該レンズ駆動装置には、前記コイルより前記径方向の外方に配置されるとともに、前記磁石と前記径方向に対向する磁性板を有し、前記側板には、前記径方向の外方に凹む凹部が設けられ、前記凹部には、前記磁性板を収納され、前記側板は、前記レンズを前記径方向から取り囲む周方向において前記コイルの全周に亘り前記径方向の外方から外囲することを要旨とする。
【００１５】
この発明によれば、側板がコイルの周方向の全周に亘り外囲するため、電波ノイズをレンズ駆動装置より外部に漏洩することを抑制することができるようになる。
ところで、ケースに磁性板収納部を設ける構成として、側板を径方向に貫通する切欠部を側板に設け、この切欠部に磁性板を収納する構成が考えられる。しかしながら、この構成では、磁性板と切欠部との間から電波ノイズが漏洩してしまう場合がある。その点において、本発明では側板に上記切欠部が設けられない構成であるため、この切欠部に起因する上記電波ノイズの漏洩を抑制することができるようになる。
【００１６】
請求項３に記載の発明は、請求項２に記載のレンズ駆動装置において、前記側板の前記径方向の外方の面は、面一に形成され、前記凹部は、この凹部が設けられる前記側板の前記径方向の内方の面を前記側板の他の部分の前記径方向の内方の面よりも前記径方向の外方となる凹形状として設けられることを要旨とする。
【００１７】
この発明によれば、側板の外面が面一であるとともに、凹部が側板の内面のみを凹形状とする構成であるため、凹部を設けるために側板が径方向の外方に拡大することを抑制することができるようになる。
【００１８】
請求項４に記載の発明は、請求項１〜請求項３のいずれか一項に記載のレンズ駆動装置において、前記ケースは金属板をプレス加工することにより成形されることを要旨とする。
【００１９】
この発明によれば、金属板をプレス加工することによりケースを成形するため、金属材料を切削することによりケースを成形すること、及び金属材料を鋳造することによりケースを成形することと比較して、ケースを安価に製造することが可能となる。特に金属材料を鋳造する場合と比較して、ケースの側板の厚さを薄くすることができるようになるため、ケースの径方向への小型化を図ることができるようになる。
【００２０】
請求項５に記載の発明は、請求項１〜請求項４のいずれか一項に記載のレンズ駆動装置において、前記基部は、平面視において略正方形に形成され、前記側板における前記基部に取り付けられる端部は、前記光軸方向の平面視において略正方形の環状に形成され、前記基部及び前記側板には、前記基部に対して前記側板の周方向における取り付け方向を決める位置決め部が設けられることを要旨とする。
【００２１】
この発明によれば、基部及び側板に位置決め部が設けられることにより、基部に対する側板の取り付け方向が決定されるため、作業者がベースに対してケースを誤った方向にて取り付けることを抑制することができるようになる。
【００２２】
例えば、磁性板をケースに取り付けた状態においてベースにケースを取り付ける場合、ケースの磁性板を収納した凹部が設けられる側板と磁性板が配置される基部の部位とが互いに一致していないと、基部と磁性板とが互いに干渉してしまう場合がある。その結果、磁性板と基部との干渉に起因して、磁性板の変形した状態にてレンズ駆動装置が組み立てられてしまう不具合を生じてしまう。その点において、本発明では、位置決め部により作業者がベースに対してケースを誤った方向にて取り付けることが抑制されるため、上記不具合の発生を抑制することができるようになる。
【００２３】
請求項６に記載の発明は、請求項１〜請求項５のいずれか一項に記載のレンズ駆動装置において、前記ベースには、前記ケースが前記コイルよりも前記径方向の外方において当接することにより前記ケースと前記コイルとの接触を回避する接触回避部が設けられることを要旨とする。
【００２４】
この発明によれば、ベースに接触回避部が設けられるため、ケースは、コイルと接触する前に接触回避部と接触することとなり、ケースとコイルとは機械的に接触が回避されるようになる。したがって、ケースとコイルとの接触に起因するコイルの短絡を確実に抑制することができるようになる。
【００２５】
ところで、レンズ駆動装置の小型化を図る場合、レンズ駆動装置を構成する各部材を密接して配置する必要がある。これにより、コイルとこのコイルを外囲するケースとが互いに近接する場合がある。したがって、ベースにケースを取り付けるときに、組立誤差等によりコイルとケースとが互いに接触してしまう場合がある。特にケースが金属材料にて構成されているため、コイルとケースとの接触に起因して、コイルが短絡してしまう場合がある。その点において、本発明は、接触回避部によりコイルとケースとの接触が回避されるため、レンズ駆動装置の小型化を図ったとしてもコイルとケースとの接触に起因するコイルの短絡を抑制することができるようになる。
【００２６】
請求項７に記載の発明は、請求項１〜請求項６のいずれか一項に記載のレンズ駆動装置において、前記側板の光軸方向における前記基部側である他端側の端部とこの端部と前記光軸方向に対向する前記基部の部位とは、互いに接着剤によって固定され、前記側板の前記端部と前記基部の前記部位の少なくとも一方には、前記接着剤が溜まる接着剤溜り部が設けられることを要旨とする。
【００２７】
この発明によれば、ケースの側板と基部との間を接着剤によって固定されるため、ベースとケースとの接合強度をさらに向上することができるようになる。その上、側板と基部との少なくとも一方に接着剤溜り部が設けられるため、側板と基部との接着面積が増大するため、側板と基部との接合強度を向上することができるようになる。
【００２８】
請求項８に記載の発明は、請求項７に記載のレンズ駆動装置において、前記側板の前記端部には、前記レンズの径方向の外方に向かい屈曲する屈曲部が設けられ、前記屈曲部の径方向の内方の部位と前記基部の前記部位との間には、前記接着剤が溜まる接着剤溜り部が設けられることを要旨とする。
【００２９】
この発明によれば、屈曲部と基部との間にさらに接着剤溜り部が形成されるため、側板と基部との接着面積がさらに増大するようになる。したがって、側板と基部との接合強度をさらに向上することができるようになる。
【００３０】
特に、ケースが金属板をプレス加工することにより成形される場合には、金属板からケースとして成形した部位を切り離す際に屈曲部が設けられる。この屈曲部を用いて、基部との間に接着剤溜り部を設けるため、同接着剤溜り部を設けるための専用の形状を成形することを省略することができるようになる。
【００３１】
請求項９に記載の発明は、請求項１〜請求項８のいずれか一項に記載のレンズ駆動装置において、前記ケースには、前記レンズを開口する開口部を有するとともに、前記側板に連結する天板が設けられ、前記側板と前記天板とは、単一部材として構成されることを要旨とする。
【００３２】
この発明によれば、側板と天板とが単一部材から構成されるため、電波ノイズのうち、側板に向かう電波ノイズに加え、天板に向かう電波ノイズがケースの外部に漏洩することを抑制することができるようになる。
【００３３】
ところで、天板と側板とを有するケースの構成としては、側板と天板とが別部材となる構成が考えられる。この場合には、側板と天板との継ぎ目からコイルの電波ノイズが漏洩する可能性がある。その点において、本発明では側板と天板とが単一部材から構成されるため、上述の継ぎ目が存在しない。したがって、側板と天板とが別部材として構成された場合と比較して、電波ノイズがケースから外部に漏洩することを抑制することができるようになる。
【００３４】
請求項１０に記載の発明は、請求項１〜請求項９のいずれか一項のレンズ駆動装置を備えるカメラモジュールであることを要旨とする。
この発明によれば、レンズ駆動装置を好適にカメラモジュールに適用することができるようになる。
【発明の効果】
【００３５】
本発明によれば、コイルの電波ノイズがレンズ駆動装置の外部に漏洩することを抑制するレンズ駆動装置及びこれを備えるカメラモジュールを提供することができる。
【図面の簡単な説明】
【００３６】
【図１】本発明に係るレンズ駆動装置を具体化した一実施形態について、同レンズ駆動装置の分解斜視構造を示す斜視図。
【図２】同実施形態のレンズ駆動装置について、（ａ）ケースの斜視構造を示す斜視図、（ｂ）（ａ）とは異なる方向から見たケースの斜視構造を示す斜視図、（ｃ）ケースの側板の断面構造を示す断面図。
【図３】同実施形態のレンズ駆動装置について、（ａ）〜（ｅ）金属板からケースがプレス加工により成形される各工程を示す模式図。
【図４】同実施形態のレンズ駆動装置について、（ａ）ケースに磁性板が取り付けられた状態における斜視構造を示す斜視図、（ｂ）ケースに磁性板が取り付けられた状態における下面構造を示す平面図。
【図５】同実施形態のレンズ駆動装置について、（ａ）ベースの斜視構造を示す斜視図、（ｂ）（ａ）とは異なる方向から見たベースの斜視構造を示す斜視図。
【図６】同実施形態のレンズ駆動装置について、（ａ）ベースにケースが取り付けられた状態における斜視構造を示す斜視図、（ｂ）ベースにケースが取り付けられた状態における側面構造を示す側面図、（ｃ）ベースにケースが取り付けられた状態における側板と基部との断面構造を示す断面図。
【図７】同実施形態のレンズ駆動装置について、（ａ）ベースにケースが取り付けられた状態における斜視構造を示す斜視図、（ｂ）ベースにケースが取り付けられた状態における側面構造を示す側面図、（ｃ）（ｂ）とは異なる方向から見た側面構造を示す側面図。
【図８】同実施形態のレンズ駆動装置について、(ａ)同レンズ駆動装置の断面構造を示す断面図、（ｂ）（ａ）の一部を拡大した拡大構造を示す拡大図。
【図９】同実施形態のレンズ駆動装置について、ホルダと磁性板との関係を示す平面図。
【図１０】同実施形態のレンズ駆動装置について、（ａ）移動体がホームポジションに位置する状態の断面構造を示す断面図、（ｂ）移動体がオンフォーカス位置に位置する状態の断面構造を示す断面図。
【図１１】同実施形態のレンズ駆動装置を搭載したカメラモジュールの構成を示す模式図。
【図１２】本発明に係るレンズ駆動装置を具体化したその他の実施形態について、（ａ）レンズ駆動装置の斜視構造を示す斜視図、（ｂ）レンズ駆動装置の側面構造を示す側面図、（ｃ）（ｂ）とは異なる方向から見た側面構造を示す側面図。
【図１３】本発明に係るレンズ駆動装置を具体化したその他の実施形態について、（ａ）ケースの下面構造を示す平面図、（ｂ）ケースに磁性板が取り付けられた状態における下面構造を示す平面図。
【図１４】従来のレンズ駆動装置について、同レンズ駆動装置の断面構造を示す断面図。
【発明を実施するための形態】
【００３７】
図１〜図１１を参照して、本発明に係るレンズ駆動装置を携帯電話に搭載されるカメラのオートフォーカスに用いられるレンズ駆動装置として具体化した一実施形態について説明する。以降では、レンズの光軸に沿った方向を「光軸方向」といい、レンズの径方向を「径方向」といい、レンズを径方向から取り囲む方向を「周方向」という。また、レンズ駆動装置１の光軸方向において、ベース３０が配置される側を「下方」とし、ケース４０が配置される側を「上方」とする。そして、レンズ駆動装置１の径方向において、光軸に向かう側を「内方」とし、光軸から離れる側を「外方」とする。
【００３８】
まず、図１を参照して、レンズ駆動装置１の全体構成について説明する。
図１に示すように、レンズ駆動装置１は、レンズ駆動装置１が搭載される機器に固定される固定体１Ｂに、この固定体１Ｂに対してレンズの光軸方向に移動可能な移動体１Ａが収納されることにより構成されている。そして、レンズ駆動装置１は、移動体１Ａの光軸方向の移動に伴いレンズが光軸方向に移動することにより、カメラのオートフォーカスを行っている。また、本実施形態のレンズ駆動装置１は、光軸方向の平面視において、約８．５ｍｍの正方形に形成されており、レンズ駆動装置１の光軸方向の高さが、約３ｍｍに形成されている。
【００３９】
移動体１Ａは、レンズ（不図示）を保持する円筒形状のレンズホルダＲＨと、平面視において略八角形のホルダ１０と、板状の磁石２０とにより構成されている。具体的には、ホルダ１０の中央部において、同ホルダ１０を光軸方向に貫通するとともに平面視において略円形の貫通孔である開口部１１にレンズホルダＲＨが固定されている。またホルダ１０の径方向の外方には、互いに周方向に一定の距離を介して、磁石２０が４個固定されている。また、これら磁石２０は、ネオジウム磁石（Ne-Fe-B）が用いられている。
【００４０】
固定体１Ｂは、レンズ駆動装置１の外枠を構成するベース３０及びケース４０と、２つの円柱形状のシャフト５０，５１と、電流が印加されることにより磁場を形成するコイル６０と、２つの長方形の板状の磁性板７０，７１とにより構成されている。
【００４１】
具体的には、ベース３０には、レンズ駆動装置１の外枠の下面を構成する平面視において中央部にレンズを露出するための開口部３１ａを有する正方形状の基部３１が設けられている。この基部３１の４隅には、基部３１から光軸方向に沿って延設される支柱部３２が設けられている。基部３１の周縁を構成する各辺のうちの２箇所の中央位置には、２個の磁性板７０，７１が固定されている。
【００４２】
支柱部３２には、これら４つの支柱部３２を周方向に取り囲むように導電線が巻き付けられることによりコイル６０が形成されている。このコイル６０は、周方向の一方向に向かい導電線が巻回されることにより形成される第１コイル６１と、この第１コイル６１とは周方向に対して反対方向に向かい導電線が巻回されることにより形成される第２コイル６２とから構成されている。
【００４３】
ケース４０には、レンズ駆動装置１の外枠の上面を構成するとともに、中央部に平面視において略円形の中央開口部４１ａを有する正方形状の天板４１が設けられている。この天板４１の外周縁には、天板４１から光軸方向の下方に向かい延びるとともにレンズ駆動装置１の外枠の側面を構成する側板４２が設けられている。このケース４０は、側板４２がコイル６０の径方向の外方を外囲するようにベース３０に取り付けられる。
【００４４】
次に、図２及び図３を参照して、ケース４０の構造及び製造方法について説明する。本実施形態のケース４０は、非磁性の金属板をプレス加工することにより単一部材として構成されている。
【００４５】
図２（ａ）に示すように、ケース４０の側板４２には、周方向及び光軸方向に沿った平面形状である４つの平面部４２１が設けられている。これら平面部４２１のそれぞれの周方向の間には、各平面部４２１を連結するとともに湾曲形状に屈曲して形成された連結部４２２が設けられている。また、側板４２は、光軸方向の平面視において略正方形の環状に形成されている（図２（ｂ）参照）。
【００４６】
ケース４０の天板４１の中央部には、レンズを露出するための貫通孔である中央開口部４１ａが設けられている。またケース４０の天板４１の４隅には、天板４１を光軸方向に貫通するとともに平面視において円形の貫通孔である開口部４１ｂがそれぞれ設けられている。また、ケース４０の側板４２の各平面部４２１の外面４２ａは、周方向に亘り面一に設けられている。
【００４７】
図２（ｂ）に示すように、側板４２のうちの２辺の周方向の中央位置には、側板４２の平面部４２１の内面４２ｂから径方向の外方に凹む凹形状の径方向凹部４２ｃがそれぞれ設けられている。これら径方向凹部４２ｃの光軸方向の下端部には、光軸方向の上方に向かい凹む光軸方向凹部４２ｄが設けられている。
【００４８】
図２（ｃ）に示すように、ケース４０の側板４２の光軸方向の下端部には、径方向の外方に向かい屈曲する屈曲部４３が設けられている。この屈曲部４３は、光軸方向凹部４２ｄを除く側板４２の下端部の全周に亘り設けられている。屈曲部４３は、側板４２より径方向の外方に突出する突出部４３ａと、突出部４３ａと側板４２とを連結する曲面形状の曲面部４３ｂとから構成されている。
【００４９】
図３に示すように、ケース４０は、絞り工程（図３（ｂ）参照）、開口部形成工程（図３（ｃ）参照）、及び切り離し工程（図３（ｄ）参照）の順に加工されている。
具体的には、図３（ａ）の一枚の金属板Ｍから、図３（ｂ）に示すように、金型の絞りパンチＰ１０によって天板４１及び側板４２に相当する形状が形成されている。ここで、絞りパンチＰ１０のうちの２辺には、径方向凹部４２ｃを形成するための突起部Ｐ１１が設けられている。これにより、絞り工程と同時に、磁性板収納部が形成されるようになる。次いで、図３（ｃ）に示すように、中央開口部４１ａ及び開口部４１ｂに相当する貫通孔がそれぞれ金型の打ち抜きにより形成されている。最後に、図３（ｄ）に示すように、金型の切り離し用のバイトＰ２０によって、金属板から成形品が切り離される。また図３（ｅ）に示すように、金属板から切り離された成形品であるケース４０の側板４２の光軸方向の下端部には、屈曲部４３が設けられるようになる。
【００５０】
次に、図４を参照して、ケース４０と磁性板７０，７１との配置関係について説明する。
図４に示すように、磁性板７０，７１は、それぞれケース４０の径方向凹部４２ｃ内に配置されている。具体的には、磁性板７０，７１は、径方向凹部４２ｃの周方向の一方に当接した状態において、接着剤により径方向凹部４２ｃに固定されている。径方向凹部４２ｃに磁性板７０，７１を固定した状態において、側板４２の内面４２ｂと磁性板７０，７１の内面７０ａ，７１ａとは面一となる。即ち側板４２の内面４２ｂと磁性板７０，７１の内面７０ａ，７１ａとの各径方向の位置は、互いに略等しくなる。以上により、径方向凹部４２ｃは、磁性板７０，７１を収納する磁性板収納部の役割を果たしている。
【００５１】
ところで、磁性板をケースに収納する構造としては、図１２（ａ）に示すように、ケース４０Ａの側板４２Ａに側板４２Ａを径方向に貫通する切欠部４２Ａ１を設けて、その切欠部４２Ａ１内に磁性板７０Ａ，７１Ａを収納する構造が考えられる。この構成においては、切欠部４２Ａ１が形成されるため、ケース４０Ａに切欠部が省略される構成と比較して、ケース４０Ａの強度が低下してしまう。その結果、側板４２Ａが変形する場合があり、この変形に伴い磁性板７０Ａ，７１Ａが傾いた状態にて取り付けられる場合がある。その上、磁性板７０Ａ，７１Ａを切欠部４２Ａ１に収納するために、磁性板７０Ａ，７１Ａの周方向の幅Ｈ５よりも切欠部４２Ａ１の周方向の幅Ｈ６をそれぞれ大きく形成しなければならない（図１２（ｂ），（ｃ）参照）。特に、ケース４０をプレス加工により成形する場合には、切欠部４２Ａ１を高精度に成形することができない。したがって、磁性板７０Ａ，７１Ａを予め設定された位置に配置するために、切欠部４２Ａ１の周方向の幅Ｈ６をプレス加工による成形誤差を考慮した大きさに設定しなければならない。その結果、磁性板７０Ａ，７１Ａの幅Ｈ５に対して、切欠部４２Ａ１の幅Ｈ６を大きくしなければならない。したがって、切欠部４２Ａ１と磁性板７０Ａ，７１Ａとの周方向の間に形成された間隙からコイル６０の電波ノイズがケース４０Ａよりも外部に漏洩してしまう可能性がある。
【００５２】
その点において、本実施形態では、径方向凹部４２ｃが側板４２を径方向に貫通しない構成であるため、上述のケースの強度の低下、及びコイル６０の電波ノイズがケースより外部に漏洩することをそれぞれ抑制するようになる。
【００５３】
また、上述の切欠部を有する構造とは別に、磁性板をケースに収納する構造としては、図１３に示すように、ケース４０Ｂの側板４２Ｂにこの側板４２Ｂの外面４２Ｂ１及び内面４２Ｂ２を径方向の外方に突出させる凹形状の径方向凹部４２Ｂ３を設けて、この径方向凹部４２Ｂ３内に磁性板７０Ｂ，７１Ｂを収納する構造が考えられる。この構成によれば、ケース４０Ｂに上記切欠部が設けられていないため、この切欠部に起因するケースの強度の低下、及びコイル６０の電波ノイズのケースの外部への漏洩を抑制することができるようになる。しかしながら、径方向凹部４２Ｂ３を形成するために側板４２Ｂの外面４２Ｂ１が径方向の外方に突出するため、ケース４０Ｂの径方向の小型化が困難である。
【００５４】
その点において、本実施形態では、径方向凹部４２ｃが設けられる側板４２の内面４２ｂのみを凹形状とし、側板４２の外面４２ａが面一であるため、上述のケースの径方向の小型化を図ることができるようになる。
【００５５】
次に、図５を参照して、ベース３０の構造について説明する。本実施形態のベース３０は、樹脂材料を射出成形することにより単一部材として構成されている。
図５（ａ）に示すように、支柱部３２には、周方向に隣り合う支柱部３２をそれぞれ連結する上方連結部３３及び下方連結部３４が設けられている。上方連結部３３は、支柱部３２の光軸方向の上端同士を連結している。下方連結部３４は、支柱部３２の光軸方向の下端同士を連結している。そして下方連結部３４は、基部３１の側面３１ｂよりも径方向の内方に設けられるとともに、基部３１から光軸方向の上方に突出するように設けられている。
【００５６】
４つの支柱部３２のうちの一の支柱部３２ａの光軸方向の上端には、他の支柱部３２の光軸方向の上端より径方向の内方に突出する上方突出部３５（図５中の斜線領域）が設けられている。この上方突出部３５は、支柱部３２と上方連結部３３とのそれぞれに連結している。この上方突出部３５には、シャフト５０（図１参照）を受ける支柱側シャフト受部３６が設けられている。
【００５７】
基部３１における支柱側シャフト受部３６と径方向及び周方向に対応する位置には、シャフト５０を受ける基部側シャフト受部３７が設けられている。したがって、シャフト５０は、支柱側シャフト受部３６及び基部側シャフト受部３７によって光軸方向の２箇所にて受けられている。また基部３１におけるシャフト５１（図１参照）が配置されるところには、基部側シャフト受部３８が設けられている。シャフト５１は、基部側シャフト受部３８のみによって受けられている。
【００５８】
また、各支柱部３２の光軸方向の上端には、支柱部３２の光軸方向の上端面３２ｂから光軸方向の上方に向かい突出する突起部３２ｃが設けられている。
基部３１の側面３１ｂのうちの２辺の光軸方向の上端には、側面３１ｂから径方向の内方に向かい凹む凹部３１ｄが設けられている。この凹部３１ｄは、光軸方向の上方に向かい開口している。
【００５９】
図５（ｂ）に示すように、基部３１の側面３１ｂのうちの２辺には、磁性板７０，７１を載置するための載置部３１ｅが設けられている。この載置部３１ｅは、基部３１の上面よりも光軸方向の上方に突出するように設けられている。
【００６０】
基部３１の側面３１ｂのうちの１辺の載置部３１ｅの周方向の両側には、側面３１ｂから径方向に向かい凹む凹部３１ｆがそれぞれ設けられている。この凹部３１ｆは、凹部３１ｄと同様に光軸方向の上方に向かい開口している。
【００６１】
基部３１の側面３１ｂのうちの１辺の載置部３１ｅの周方向の両側には、当該レンズ駆動装置１（図１参照）の端子部を収納するための収納部３１ｇがそれぞれ設けられている。この収納部３１ｇと載置部３１ｅとの周方向の間には、側面３１ｂから径方向に向かい凹む凹部３１ｈがそれぞれ設けられている。この凹部３１ｈは、凹部３１ｄ，３１ｆと同様に光軸方向の上方に向かい開口している。
【００６２】
次に、図６及び図７を参照して、ベース３０にケース４０を取り付けた状態の構成について説明する。
ケース４０は、磁性板７０，７１を予め径方向凹部４２ｃに取り付けた状態において、ベース３０に嵌合するとともに、接着剤によって互いに固定されている。具体的には、天板４１の各開口部４１ｂに各支柱部３２の突起部３２ｃが挿入される。この状態において、側板４２は支柱部３２及びコイル６０を径方向の外方から外囲するとともに、側板４２の光軸方向の下端部が基部３１の外周縁に概ね対応して当接している。そして、開口部４１ｂと突起部３２ｃとの間、及び基部３１と側板４２との間のそれぞれに接着剤を充填することにより、ベース３０とケース４０とが互いに接着固定される。
【００６３】
図６（ａ）に示すように、ケース４０の側板４２と基部３１の側面３１ｂとは面一に形成されている。側板４２の光軸方向の下端部と基部３１の凹部３１ｄとの光軸方向の間には、外方接着剤溜り部８０が設けられている。この外方接着剤溜り部８０は、側板４２及び側面３１ｂから径方向の内方に凹む凹形状の空間として形成されている。また、図６（ｂ）に示すように、外方接着剤溜り部８０の周方向の長さＨ１は、側板４２の周方向の長さＨ２と略同等の長さに設けられている。
【００６４】
図６（ｃ）に示すように、側板４２の屈曲部４３は基部３１に当接している（以下、「当接面Ａ」）。この当接面Ａよりも径方向の内方における屈曲部４３の曲面部４３ｂと基部３１との光軸方向の間には、内方接着剤溜り部８１が設けられている。この内方接着剤溜り部８１は、径方向の内方に向かうにつれて光軸方向の間の間隙が大きくなる空間として形成されている。また、当接面Ａよりも径方向の外方における屈曲部４３の突出部４３ａと基部３１の凹部３１ｄとにより上述の外方接着剤溜り部８０が設けられるようになる。
【００６５】
外方接着剤溜り部８０には、ベース３０にケース４０を取り付けた後に接着剤を充填する。そして、外方接着剤溜り部８０に充填された接着剤は、当接面Ａを介して内方接着剤溜り部８１に浸透するようになる。これにより内方接着剤溜り部８１には、接着剤が充填されるようになる。
【００６６】
以上のように、外方接着剤溜り部８０と内方接着剤溜り部８１に接着剤が充填されることにより、側板４２（屈曲部４３）と基部３１とが互いに接合されるようになる。また、外方接着剤溜り部８０及び内方接着剤溜り部８１により、外方接着剤溜り部８０及び内方接着剤溜り部８１が省略された側板及び基部の構造と比較して、側板４２（屈曲部４３）と基部３１との接着面積が増大するようになる。
【００６７】
また、基部３１の下方連結部３４は、内方接着剤溜り部８１よりも光軸方向の上方に形成されている。これにより、内方接着剤溜り部８１の接着剤が、下方連結部３４よりも径方向の内方に侵入することが抑制されるようになる。
【００６８】
図７（ａ）に示すように、ケース４０とベース３０とは、ケース４０の光軸方向凹部４２ｄとベース３０の載置部３１ｅとが互いに嵌合するように取り付けられている。この構成により、ベース３０に対するケース４０の周方向の取り付け方向が決定される。
【００６９】
特に、本実施形態では、ケース４０は、磁性板７０，７１を径方向凹部４２ｃに取り付けた状態においてベース３０に取り付けられている。したがって、磁性板７０，７１が取り付けられた径方向凹部４２ｃが設けられる側板４２と基部３１の載置部３１ｅとが互いに一致していないと、基部３１と磁性板７０，７１とが互いに干渉してしまう場合がある。その結果、磁性板７０，７１が変形してしまう不具合、及び磁性板７０，７１が誤った取り付け方向のままレンズ駆動装置１が組み立てられてしまい、側板４２が磁性板７０，７１のそれぞれを径方向の内方に押し付け状態のままとなってしまう不具合が発生する場合がある。
【００７０】
その点において、本実施形態の載置部３１ｅに光軸方向凹部４２ｄを嵌合することにより基部３１に対する側板４２の取り付け方向が決定する構成を用いることにより、載置部３１ｅに光軸方向凹部４２ｄが嵌合しなければ、ケース４０がベース３０に取り付けることができなくなる。したがって、作業者は、ケース４０がベース３０に取り付けられないときには、上記取り付け方向が誤っていることが認識することができるため、ベースに対してケースを誤った方向にて取り付けた状態にてレンズ駆動装置１が組み立てられてしまうことが抑制されるようになる。これにより、基部３１と磁性板７０，７１との干渉に伴う磁性板７０，７１の変形が抑制されるようになる。
【００７１】
端子３９が配置されていない側の側板４２の光軸方向の下端部と基部３１との光軸方向の間には、外方接着剤溜り部８２が設けられている。この外方接着剤溜り部８２は、側板４２と載置部３１ｅ及び凹部３１ｆとの光軸方向の間において径方向の内方に凹む凹形状の空間として形成されている。また、図７（ｂ）に示すように、外方接着剤溜り部８２の周方向の長さＨ３は、側板４２の平面部４２１の周方向の長さＨ２と略同等の長さに設けられている。
【００７２】
また、側板４２の屈曲部４３の曲面部４３ｂと基部３１の凹部３１ｆとの光軸方向の間には、内方接着剤溜り部（不図示）が設けられている。この内方接着剤溜り部は、内方接着剤溜り部８１（図６（ｃ）参照）と同様に、径方向の内方に向かうにつれて光軸方向の間の間隙が大きくなる空間として形成されている。
【００７３】
外方接着剤溜り部８２には、ベース３０にケース４０を取り付けた後に接着剤を充填する。そして、外方接着剤溜り部８２に充填された接着剤は、屈曲部４３の突出部４３ａと基部３１との接触面を介して内方接着剤溜り部に浸透するようになる。これにより、内方接着剤溜り部には、接着剤が充填されるようになる。また、外方接着剤溜り部８２のうちの載置部３１ｅと光軸方向凹部４２ｄとの間に形成された空間に接着剤が充填されることにより、磁性板７０（図１参照）と基部３１及び光軸方向凹部４２ｄとが互いに接着されるようになる。
【００７４】
一方、端子３９が配置される側の側板４２の光軸方向の下端部と基部３１との光軸方向の間には、外方接着剤溜り部８３が設けられている。この外方接着剤溜り部８３は、側板４２と、載置部３１ｅ、凹部３１ｈ及び収納部３１ｇとの光軸方向の間において径方向の内方に凹む凹形状の空間として形成されている。また、図７（ｃ）に示すように、外方接着剤溜り部８３の周方向の長さＨ４は、側板４２の平面部４２１の周方向の長さＨ２と略同等の長さに設けられている。
【００７５】
次に、図８（ａ）に示すように、ケース４０の側板４２は、ベース３０の上方連結部３３及び下方連結部３４を外囲するとともに、上方連結部３３及び下方連結部３４と嵌合している。
【００７６】
コイル６０は、上方連結部３３及び下方連結部３４の光軸方向の間に形成されている。
上方連結部３３及び下方連結部３４の各径方向の位置は、コイル６０の径方向の最も外方の位置よりも径方向の外方に位置するように設けられている。これにより、側板４２の径方向の位置は、コイル６０の径方向の位置よりも径方向の外方に位置するようになる。そして、組立誤差等により側板４２を径方向の内方に移動したときには、コイル６０に接触する前に上方連結部３３と下方連結部３４との両方に接触するため、側板４２とコイル６０との接触が抑制されるようになる。以上のように、上方連結部３３及び下方連結部３４は、ケース４０の側板４２とコイル６０との接触を回避する接触回避部の役割を果たしている。
【００７７】
図８（ｂ）に示すように、磁性板７０は、上方連結部３３及び下方連結部３４よりも径方向の外方に配置されている。これにより、磁性板７０の径方向の位置は、コイル６０の径方向の最も外方の位置よりも径方向の外方に位置するようになる。そして、組立誤差等により磁性板７０を径方向の内方に移動したときには、コイル６０に接触する前に上方連結部３３と下方連結部３４との両方に接触するため、磁性板７０とコイル６０との接触が抑制されるようになる。上述の構成は、磁性板７１も同様である。
【００７８】
次に、図９を参照して、ホルダ１０の構造及びホルダ１０と磁性板７０，７１との関係について説明する。また、図９の移動体１Ａでは、移動体１ＡのレンズホルダＲＨを省略して示している。本実施形態のホルダ１０は、樹脂材料を用いて射出成形することにより構成されている。
【００７９】
図９に示すように、ホルダ１０の磁石２０が配置される位置には、各磁石２０を保持するための保持部１２が設けられている。この保持部１２は、光軸方向の上方を開口するとともに、ホルダ１０の側面から径方向の内方に凹む凹形状として設けられている。
【００８０】
ホルダ１０における周方向に隣り合う磁石２０の間には、シャフト５０，５１をそれぞれ挿通可能とする挿通部１３，１４がそれぞれ設けられている。
挿通部１３は、ホルダ１０を光軸方向に貫通するとともに、光軸方向の平面視において円形の貫通孔として設けられている。この挿通部１３の内径Ｒ１は、シャフト５０の外径と略同一となるように設けられている。
【００８１】
挿通部１４は、ホルダ１０を光軸方向に貫通するとともに、光軸方向の平面視において長穴形状の貫通孔として設けられている。この挿通部１４は、挿通部１３及び挿通部１４の各中心を結んだ対角線Ｌ２に沿った方向を長径Ｒ２として、対角線Ｌ２と直交する方向を短径Ｒ３として形成されている。また、挿通部１４は、短径Ｒ３がシャフト５１の外径と略同一となり、長径Ｒ２がシャフト５１の外径よりも大きくなるように設けられている。これにより、挿通部１４の長径Ｒ２に対応する内周面とシャフト５１の外周面との間には、間隙が形成されるようになる。
【００８２】
次に移動体１Ａと磁性板７０，７１との配置関係について説明する。
移動体１Ａのホルダ１０の挿通部１３，１４には、シャフト５０，５１がそれぞれ挿入されている。そして、磁性板７０，７１は、挿通部１３，１４によって形成された対角線Ｌ２を中心線として、この中心線の片側のみに配置されている。これら２個の磁性板７０は、各磁性板７０に径方向に対向する磁石２０の中央位置にそれぞれ配置されている。
【００８３】
ここで、磁性板７０とこの磁性板７０に径方向に対向する磁石２０とによって発生する磁石２０の径方向の外側への引力Ｆ１の方向と、磁性板７１とこの磁性板７１に径方向に対向する磁石２０とによって発生する磁石２０の径方向の外側への引力Ｆ２の方向とは、互いに直交している。そして、引力Ｆ１と引力Ｆ２との合力Ｆ３の方向は、対角線Ｌ２に対して垂直方向に働く。
【００８４】
この合力Ｆ３により、移動体１Ａが合力Ｆ３の方向に引っ張られるため、挿通部１３，１４を構成する内周面とシャフト５０，５１とは、常に接触した状態に維持されている。即ち、これら２個の磁石２０と、これら磁石２０に径方向に対向する磁性板７０，７１とにより、移動体１Ａ（ホルダ１０）を径方向の一方向である対角線Ｌ２に対して垂直方向に付勢する付勢手段を構成している。この付勢手段により、ホルダ１０の挿通部１３，１４を構成する内周面とシャフト５０，５１とが圧接された状態を維持している。そして、移動体１Ａが光軸方向に移動する際、挿通部１３，１４を構成する内周面とシャフト５０，５１とが摺動することにより、移動体１Ａはシャフト５０，５１にガイドされる。
【００８５】
次に、図１０を参照して、レンズ駆動装置１の駆動動作について説明する。図１０中の一点鎖線は、光軸方向を示す。
図１０（ａ）では、移動体１Ａは、ホームポジションに位置している。具体的には、移動体１Ａのホルダ１０の下面がベース３０の基部３１の上面と接触している。移動体１Ａがホームポジションに位置しているとき、コイル６０には、電流が印加されていない。
【００８６】
そして、コイル６０に図１０（ａ）に示す電流が印加されると、移動体１Ａは、図１０（ｂ）に示す位置まで移動する。具体的には、コイル６０の周囲に磁場が発生する。そして、これら磁場と磁石２０とにより磁気回路が形成されて、移動体１Ａを光軸方向の上方に向かい移動させる力が発生する。そして、移動体１Ａは、図１０（ａ）に示すホームポジションから光軸方向の上方に向かい図１０（ｂ）の位置まで移動する。
【００８７】
一方、コイル６０に図１０（ａ）に示す向きとは逆向きの電流が印加された場合、この磁場と磁石２０とにより磁気回路が形成されて、移動体１Ａを光軸方向の下方に向かい移動させる力が発生する。即ち、移動体１Ａは、図１０（ｂ）の位置からホームポジションに向かい移動する。ここで、図１０（ａ）中のコイル６０に付されたマークについて、円に黒点のマークは、図面参照者に向かってくる方向を示し、円にバツのマークは、図面参照者から遠ざかる方向を示す。
【００８８】
以上のように、移動体１Ａを光軸方向の上方及び下方に移動させながら、レンズをオンフォーカス位置に移動させる。このとき、磁性板７０，７１とこれら磁性板７０，７１と径方向に対向する磁石２０との間に生じる磁力により、移動体１Ａは、シャフト５０，５１に対して摺動する。このため、移動体１Ａを鉛直方向に動かす場合にも、重力の影響を受けにくくなる。また、レンズをオンフォーカス位置に移動させた後に、コイル６０への電流の印加を遮断しても、上記の磁石２０と磁性板７０，７１との間の磁力により、移動体１Ａはオンフォーカス位置に維持される。
【００８９】
次に、図１１を参照して、本実施形態のレンズ駆動装置１をカメラに搭載する場合のカメラモジュールの構成について説明する。
図１１に示すように、レンズ駆動装置１のベース３０側には、フィルタ２とイメージセンサ３とが配置されている。即ち、ベース３０の光軸方向の下方には、フィルタ２とイメージセンサ３とが配置されている。ベース３０には、位置検出素子としてホール素子４が配置される。そして、ホール素子４からの信号に基づいて、移動体１Ａの位置検出が行われる。
【００９０】
フォーカス動作時、ＣＰＵ（Central Processing Unit）５は、ドライバ６を制御して、移動体１Ａをホームポジションから予め設定された位置まで光軸方向の上方に移動させる。このとき、ホール素子４からの位置検出信号がＣＰＵ５に入力される。同時に、ＣＰＵ５は、イメージセンサ３から入力される信号を処理して撮像画像のコンストラスト値を取得する。そして、このコンストラスト値が最良となる移動体１Ａの位置をオンフォーカス位置として取得する。
【００９１】
その後、ＣＰＵ５は、オンフォーカス位置に向けて移動体１Ａを駆動する。その際、ＣＰＵ５は、ホール素子４からの信号をモニタし、ホール素子４からの信号がオンフォーカス位置に対応する状態になるまで、移動体１Ａを駆動する。これにより、移動体１Ａがオンフォーカス位置に位置づけられる。
【００９２】
本実施形態のレンズ駆動装置１によれば、以下に示す効果を奏することができる。
（１）本実施形態では、ケース４０がコイル６０を径方向の外方から覆うとともに、金属材料から構成されている。したがって、コイル６０が発生する電波ノイズが当該レンズ駆動装置１より外部に漏洩することを抑制することができるようになる。
【００９３】
（２）本実施形態では、ケース４０の側板４２には径方向凹部４２ｃが設けられ、この径方向凹部４２ｃに磁性板７０，７１がそれぞれ収納する構成である。したがって、図１２に示す磁性板７０Ａ，７１Ａを収納するために側板４２Ａに切欠部４２Ａ１を設ける構成と比較して、電波ノイズを当該レンズ駆動装置１より外部に漏洩することを抑制することができるようになる。さらに上記構成と比較して、ケース４０の強度の低下を抑制することができるようになる。
【００９４】
（３）本実施形態では、側板４２の外面４２ａが面一に形成されるとともに、側板４２の内面４２ｂには径方向凹部４２ｃが設けられる構成である。したがって、図１３に示す磁性板７０Ｂ，７１Ｂを収納するために側板４２Ｂの外面４２Ｂ１及び内面４２Ｂ２の両面ともに径方向の外方に突出する径方向凹部４２Ｂ３を設ける構成と比較して、ケース４０の径方向の小型化を図ることができるようになる。
【００９５】
（４）本実施形態では、ケース４０は金属板をプレス加工することにより成形される構成である。したがって、金属材料を切削することによりケースを成形すること、及び金属材料を鋳造することによりケースを成形することと比較して、ケースを安価に製造することが可能となる。特に金属材料を鋳造する場合と比較して、天板４１及び側板４２の厚さを薄くすることができるため、ケース４０の光軸方向及び径方向への小型化を図ることができるようになる。
【００９６】
（５）本実施形態では、基部３１の外周縁のうちの２辺には、載置部３１ｅが設けられ、側板４２のうちの２辺には、載置部３１ｅに嵌合することにより、ベース３０に対するケース４０の取り付け方向を決定する光軸方向凹部４２ｄが設けられる構成である。したがって、載置部３１ｅ及び光軸方向凹部４２ｄにより、基部３１に対する側板４２の取り付け方向が決定されるため、作業者がベース３０に対してケース４０を誤った方向にて取り付けることを抑制することができるようになる。これにより、ベース３０がケース４０に誤った方向にて取り付けることによって磁性板７０，７１が変形してしまうことを抑制することができるようになる。
【００９７】
（６）本実施形態では、ベース３０の上方連結部３３及び下方連結部３４が設けられるため、ケース４０は、コイル６０と接触する前に上方連結部３３及び下方連結部３４と接触することとなり、ケース４０とコイル６０とは機械的に接触が回避されるようになる。したがって、ケース４０とコイル６０との接触に起因するコイルの短絡を確実に抑制することができるようになる。
【００９８】
特に、レンズ駆動装置１の小型化を図ることにより、コイル６０とケース４０とが互いに近接する場合においても、上方連結部３３及び下方連結部３４によりコイル６０とケース４０との接触が回避されるため、レンズ駆動装置１の小型化に起因するコイル６０とケース４０との接触を抑制することができる。したがって、この接触に起因するコイルの短絡を抑制することができるようになる。
【００９９】
（７）本実施形態では、側板４２と基部３１との間には、外方接着剤溜り部８０，８２，８３が設けられる構成である。したがって、側板４２と基部３１とを接着剤によって固定されるため、ベース３０とケース４０との接合強度を向上することができるようになる。その上、外方接着剤溜り部８０，８２，８３により、側板４２と基部３１との接着面積が増大するため、側板４２と基部３１との接合強度を向上することができるようになる。
【０１００】
（８）本実施形態では、側板４２の屈曲部４３と基部３１との間にさらに内方接着剤溜り部８１が形成される構成である。したがって、側板４２と基部３１との接着面積がさらに増大するようになるため、側板４２と基部３１との接合強度をさらに向上することができるようになる。
【０１０１】
（９）本実施形態では、側板４２と天板４１とが単一部材として構成されている。したがって、側板と天板とが別部材として構成される場合と比較して、コイル６０が発生する電波ノイズをケース４０の外部に漏洩することを抑制することができるようになる。
【０１０２】
（１０）近年携帯電話の薄型化に加え、付加機能の増大に伴い、携帯電話内に配置される電子部品が増大している。そのため、各電子部品が配置されるスペースが減少するとともに、各電子部品間のスペースが減少している。これにより、携帯電話の内部は、電子部品が発する電波ノイズが他の電子部品に影響を与えやすい環境となっている。その点において、本実施形態では、レンズ駆動装置１のケース４０を金属材料とすることにより、コイル６０が発する電波ノイズの同レンズ駆動装置１の外部への漏洩を抑制している。したがって、レンズ駆動装置１付近に配置された電子部品に上記電波ノイズによる悪影響を与えることを抑制することができるようになる。
【０１０３】
（１１）本実施形態では、側板４２がコイル６０の周方向の全周に亘り径方向から外囲する構成である。したがって、側板がコイル６０の周方向の一部のみを径方向から外囲する構成と比較して、コイル６０が発生する電波ノイズの当該レンズ駆動装置１より外部への漏洩を抑制する効果をより一層向上することができるようになる。
【０１０４】
（１２）本実施形態では、外方接着剤溜り部８０，８２の周方向の長さＨ１，Ｈ３，Ｈ４は、側板４２の平面部４２１の周方向の長さＨ２と略同等として設けられている。ここで、外方接着剤溜り部８０，８２の周方向の長さＨ１，Ｈ３，Ｈ４が平面部４２１の周方向の長さＨ２よりも短い場合、側板４２と基部３１との接合強度が低下してしまう。一方、外方接着剤溜り部８０，８２の周方向の長さＨ１，Ｈ３，Ｈ４が平面部４２１の周方向の長さＨ２よりも長い場合、連結部４２２に周方向に対応する位置まで外方接着剤溜り部８０，８２が形成されることとなる。しかしながら、連結部４２２は湾曲する形状であるため、外方接着剤溜り部８０，８２よりも径方向の内方に位置する。したがって、接着剤が連結部４２２と接触することがない。その結果、外方接着剤溜り部８０，８２に側板４２と基部３１との接合に対して不要な部位まで接着剤が充填されてしまう。その点において、本実施形態では、外方接着剤溜り部８０，８２の周方向の長さＨ１，Ｈ３，Ｈ４が側板４２の周方向の長さＨ２と略同等であるため、側板４２と基部３１との接合強度の低下を抑制するとともに、不要な接着剤の充填を抑制することができるようになる。
【０１０５】
（その他の実施形態）
本発明のレンズ駆動装置及びこれを備えるカメラモジュールの具体的な構成は、上記実施形態に例示した構成に限定されることなく、例えば以下のように変更することもできる。また以下の変形例は、上記実施形態についてのみ適用されるものではなく、異なる変形例同士を互いに組み合わせて実施することもできる。
【０１０６】
・上記実施形態のレンズ駆動装置１では、磁性板７０，７１を収納する構成として側板４２に径方向凹部４２ｃを設ける構成であったが、磁性板７０，７１の収納構造はこれに限定されることはない。例えば、図１２（ａ）に示すように、ケース４０Ａの側板４２Ａに径方向に貫通する切欠部４２Ａ１を設け、この切欠部４２Ａ１に磁性板７０Ａ，７１Ａを収納することもできる。これにより、上記実施形態の効果（１），（１０）と同様の効果を奏することができる。
【０１０７】
・上記実施形態のレンズ駆動装置１では、ケース４０の側板４２の外面４２ａが面一に構成されたが、側板４２の外面４２ａの構成はこれに限定されることはない。例えば、図１３（ａ）に示すように、径方向凹部４２Ｂ３をケース４０Ｂの側板４２Ｂの外面４２Ｂ１及び内面４２Ｂ２の両面が径方向の外方に突出するように成形することもできる。この場合には、図１３（ｂ）に示すように、径方向凹部４２Ｂ３に磁性板７０Ｂ，７１Ｂがそれぞれ収納されるようになる。これにより、上記実施形態の効果（１），（２），（４），（１０）と同様の効果を奏することができる。
【０１０８】
・上記実施形態のレンズ駆動装置１では、ケース４０の天板４１及び側板４２とは単一部材として構成されたが、ケース４０の構成はこれに限定されることはない。天板４１と側板４２とは別部材を用いて構成することもできる。この場合には、天板４１及び側板４２の両方ともに金属材料から構成されることが望ましい。これにより、上記実施形態の効果（１）〜（４）及び（１０）と同様の効果を奏することができる。
【０１０９】
・上記実施形態のレンズ駆動装置１では、金属板Ｍをプレス加工することによりケース４０を成形されたが、ケース４０の製造方法はこれに限定されることはない。例えば、鋳造及び切削等の他の加工方法によってケース４０を成形することもできる。これにより、上記実施形態の効果（１）〜（３）及び（１０）と同様の効果を奏することができる。
【０１１０】
・上記実施形態のレンズ駆動装置１では、側板４２がコイル６０の周方向の全周に亘り径方向の外方から外囲する構成であったが、側板４２はこれに限定されることはない。例えば、コイル６０の周方向の一部のみを径方向の外方から外囲する構成とすることもできる。この構成によれば、本実施形態の効果（１）に準じた効果を奏することができる。
・上記実施形態のレンズ駆動装置１では、外方接着剤溜り部８０が側板４２の下端部と基部３１の凹部３１ｄとにより径方向の内方に凹む凹形状の空間として形成されたが、外方接着剤溜り部８０の構成はこれに限定されることはない。例えば、側板４２の光軸方向の下端部に径方向の内方に凹むとともに光軸方向の下方に向かい開口する凹部が設けられ、基部３１に凹部３１ｄが省略された構成によっても外方接着剤溜り部８０を構成することができる。また、基部３１の凹部３１ｄを省略せずに、側板４２の光軸方向の下端部に設けられた上記凹部と凹部３１ｄとによっても外方接着剤溜り部８０を構成することができる。これは、外方接着剤溜り部８２についても同様である。これにより、上記実施形態の効果（６）と同様の効果を奏することができる。
【０１１１】
・上記実施形態のレンズ駆動装置１では、磁石２０とコイル６０とが径方向に対向して配置されたが、磁石２０とコイル６０との配置態様はこれに限定されることはない。例えば、図１４に示す従来構造のように、コイル１５０，１５１との光軸方向の間に磁石１６０が配置される、即ち磁石１６０とコイル１５０，１５１が光軸方向に対向して配置される態様とすることもできる。
【０１１２】
・上記実施形態のレンズ駆動装置１では、ケース４０の金属材料を非磁性としたが、ケース４０の金属材料はこれに限定されることはない。ケース４０は、磁性体の金属材料から構成することもできる。この構成により、電波ノイズに加え、コイル６０の通電に起因して発生する電磁波ノイズをレンズ駆動装置１の外部に漏洩することを抑制することができるようになる。
【０１１３】
また、この場合には、磁性板７０，７１の内面７０ａ，７１ａは、側板４２の内面４２ｂよりも径方向の内方にそれぞれ位置することが望ましい。
また、上述の磁性板７０，７１と側板４２との配置構成に代えて、磁性板７０，７１を強磁性体にて構成し、側板４２を磁性板７０，７１よりも磁性の弱い金属材料にて構成することもできる。
【符号の説明】
【０１１４】
１…レンズ駆動装置、１Ａ…移動体、１Ｂ…固定体、２…フィルタ、３…イメージセンサ、４…ホール素子、５…ＣＰＵ、６…ドライバ、１０…ホルダ、１１…開口部、１２…保持部、１３…挿通部、１４…挿通部、２０…磁石、３０…ベース、３１…基部、３１ａ…開口部、３１ｂ…側面、３１ｄ…凹部、３１ｅ…載置部（位置決め部）、３１ｆ…凹部、３１ｇ…収納部、３１ｈ…凹部、３２…支柱部、３２ａ…支柱部、３２ｃ…突起部、３３…上方連結部（接触回避部）、３４…下方連結部（接触回避部）、３５…上方突出部、３６…支柱側シャフト受部、３７…基部側シャフト受部、３８…基部側シャフト受部、３９…側面、４０，４０Ａ，４０Ｂ…ケース、４１…天板、４１ａ…中央開口部、４１ｂ…開口部、４２，４２Ａ，４２Ｂ…側板、４２ａ，４２Ｂ１…外面、４２ｂ，４２Ｂ２…内面、４２ｃ，４２Ｂ３…径方向凹部（凹部）、４２ｄ…光軸方向凹部（位置決め部）、４２Ａ１…切欠部、４２１…平面部、４２２…連結部、５０，５１…シャフト、６０…コイル、６１…第１コイル、６２…第２コイル、７０，７１，７０Ａ，７１Ａ，７０Ｂ，７１Ｂ…磁性板、８０…外方接着剤溜り部（接着剤溜り部）、８１…内方接着剤溜り部（接着剤溜り部）、８２…外方接着剤溜り部（接着剤溜り部）、８３…外方接着剤溜り部（接着剤溜り部）、Ｐ１０…絞りパンチ、Ｐ１１…突起部、Ｐ２０…バイト、ＲＨ…レンズホルダ。
【図１】
2011028180.tif 000003
【図２】
2011028180.tif 000004
【図３】
2011028180.tif 000005
【図４】
2011028180.tif 000006
【図５】
2011028180.tif 000007
【図６】
2011028180.tif 000008
【図７】
2011028180.tif 000009
【図８】
2011028180.tif 000010
【図９】
2011028180.tif 000011
【図１０】
2011028180.tif 000012
【図１１】
2011028180.tif 000013
【図１２】
2011028180.tif 000014
【図１３】
2011028180.tif 000015
【図１４】
2011028180.tif 000016